(57)【特許請求の範囲】
【請求項１】
車載用のテレビジョンチューナから与えられた映像信号を一時格納した後、車載用の表示器に送り出すメモリと、
前記テレビジョンチューナから与えられた前記映像信号から同期信号を抽出する同期分離部と、
前記同期分離部によって抽出された前記同期信号の乱れが許容範囲内か否かを判定する判定部と、
前記判定部の判定結果が前記許容範囲内の同期乱れを示すものである場合には、前記テレビジョンチューナから与えられる前記映像信号を前記メモリに一旦記憶させた後、順次読み出して前記表示器に送り出すことにより前記表示器に動画を安定化画像として表示させる一方、前記判定結果が前記許容範囲外の同期乱れを示すものである場合には、前記テレビジョンチューナから与えられる前記映像信号の前記メモリへの記録を中止するとともに、前記メモリに記録されている前記許容範囲外の前記同期乱れが生じる前のフレーム画像に係る前記映像信号を読み出して前記表示器に繰り返し出力することにより、前記表示器に静止画を安定化画像として表示させる第１の制御部とを備える車載用テレビジョン画像処理装置であって、
テレビジョン画像の記録を指示する記録指令を受け付ける記録釦と、前記テレビジョン画像の再生を指示する再生指令を受け付ける再生釦とを有する入力受付部と、
前記入力受付部が前記記録指令を受け付けるのに応答して、その記録指令が入力された時点の前記安定化画像を示す少なくとも１フレーム分の前記映像信号を記録画像として前記メモリに記録させる一方、前記入力受付部が前記再生指令を受け付けるのに応答して、前記記録画像として記録されている前記映像信号を前記メモリから読み出して前記表示器に出力することにより前記記録画像を再生する第２の制御部と、
を備え、
前記テレビジョンチューナと前記表示器とは、互いに接続される映像信号出力用ピンプラグと映像信号入力用ピンプラグとを通じて着脱自在に接続されてなるテレビジョン受像機を構成しており、
前記車載用テレビジョン画像処理装置は、さらに、
前記メモリ、前記判定部、前記第１の制御部、前記入力受付部および前記第２の制御部が一体的に備えられたユニット本体と、
前記ユニット本体の一側面から外部に引き出されて前記テレビジョンチューナ側の前記映像信号出力出力用ピンプラグに着脱自在に接続可能とされた映像信号入力用ピンプラグと、
前記ユニット本体の一側面から外部に引き出されて前記表示器側の前記映像信号入力用ピンプラグに着脱自在に接続可能とされた映像信号出力用ピンプラグとを備えることを特徴とする車載用テレビジョン画像処理装置。
【請求項２】
前記ユニット本体は、前記記録画像を記録可能であるとともにその記録内容が所定の情報処理機器により読み出し可能となっている半導体メモリカードが着脱自在に装填されるメモリカード装填部をさらに備え、
前記入力受付部は、前記メモリに記録されている前記記録画像の前記半導体メモカードへのコピーを指示するコピー指令を受け付けるコピー釦をさらに有し、
前記第の２の制御部は、前記入力受付部が前記コピー指令を受け付けるのに応答して、前記メモリに記録されている前記記録画像を、前記メモリカード装填部に装填されている前記半導体メモリカードにコピーする機能をさらに備えることを特徴とする請求項１に記載の車載用テレビジョン画像処理装置。
【発明の詳細な説明】
【０００１】
【発明の属する技術分野】
本発明は、車載用のテレビ受信機における表示画像を安定にできるとともに、テレビジョン画像の記録、再生が可能な車載用テレビジョン画像処理装置に関するものである。
【０００２】
【従来の技術】
従来の自動車に搭載されるテレビジョン受像機は、テレビ放送の重要な画面を一時記憶し簡単に再生又は取り出してパソコンなどで再生することができない。
【０００３】
また、仮に、そのテレビジョン受像機にビデオデッキ等を接続して、そのテレビジョン画像を記録するようにしても、ビルの谷間等を走行する時に、放送局からの直接波と建物などで反射した反射波が合波されて、いわゆるマルチパスフェージングと呼ばれる現象が生じると、テレビジョン画像の同期信号が乱れ、画面切れ・画面揺れ・ゴースト等が生じて、見るに耐えられない画像となるものを記録して再生することになり、意味がない。
【０００４】
ここで、テレビジョン画像の乱れを緩和するための代表的な技術として、図９の回路ブロック図で説明される車載用テレビジョン画像処理装置がある。
【０００５】
この車載用テレビジョン画像処理装置では、テレビジョンチューナ１から出力される複合映像信号がＡ／Ｄコンバータ２と同期分離回路５に供給される。Ａ／Ｄコンバータ２においては、アナログ信号としての複合映像信号をディジタル信号に変換し、メモリーコントローラ７の制御により画像メモリ３に書込む。また、映像信号の読み出しは、メモリーコントローラ７の制御に基づいて行われ、Ｄ／Ａコンバータ４でアナログ信号に戻して表示器８に画像を表示する。ここで、メモリーコントローラ７は、同期分離回路５で同期信号を抽出した際に、映像信号中の同期乱れを同期乱れ検出回路６で判定し、良い画像（同期乱れの少ない画像）か悪い画像（同期乱れの多い画像）かをメモリーコントローラ７に連絡し、悪い画像の場合には、同期乱れが一定の基準以下になるまで画像メモリ３内の画像を繰り返し読み出して、表示器８に静止画を表示するようにしている。
【０００６】
この従来の技術を使用すれば、画像が乱れる程度を同期信号の乱れで検知して、良い画像のみ画像メモリに記録し再生すれば、悪い画像のときは直前の良い画像をリピート再生することによって静止画として表示するので、画像の乱れを防止することができる。
【０００７】
【発明が解決しようとする課題】
しなしながら、上述の従来の装置は、テレビジョン画像の乱れを防止するための機能しか有しておらず、ユーザが所望とするテレビジョン画像を記録、再生させるための機能は備えられていない。
【０００８】
また、現在市場には既に３８０万台以上の車載用テレビジョン受像機が普及しており、最近でも年間９０万台以上が出荷され、その中の４５％である４０万台以上は、自動車を購入するときに装着されているのではなく、いわゆるアフターマーケットで販売されているものである。このため、これらの既販品に容易に適用可能な装置構成とする必要もある。
【０００９】
そこで、前記問題点に鑑み、本発明の第１の目的は、テレビジョン画像の乱れを防止しつつ、所望とするテレビジョン画像を簡易にメモ的に記録、再生させることとができる車載用テレビジョン画像処理装置を提供することである。
【００１０】
また、本発明の第２の目的は、既存の車載用テレビジョンチューナと表示器との間にアダプタ式に容易に接続できる車載用テレビジョン画像処理装置を提供することである。
【００１１】
【課題を解決するための手段】
前記目的を達成するための技術的手段は、車載用のテレビジョンチューナから与えられた映像信号を一時格納した後、車載用の表示器に送り出すメモリと、前記テレビジョンチューナから与えられた前記映像信号から同期信号を抽出する同期分離部と、前記同期分離部によって抽出された前記同期信号の乱れが許容範囲内か否かを判定する判定部と、前記判定部の判定結果が前記許容範囲内の同期乱れを示すものである場合には、前記テレビジョンチューナから与えられる前記映像信号を前記メモリに一旦記憶させた後、順次読み出して前記表示器に送り出すことにより前記表示器に動画を安定化画像として表示させる一方、前記判定結果が前記許容範囲外の同期乱れを示すものである場合には、前記テレビジョンチューナから与えられる前記映像信号の前記メモリへの記録を中止するとともに、前記メモリに記録されている前記許容範囲外の前記同期乱れが生じる前のフレーム画像に係る前記映像信号を読み出して前記表示器に繰り返し出力することにより、前記表示器に静止画を安定化画像として表示させる第１の制御部とを備える車載用テレビジョン画像処理装置であって、テレビジョン画像の記録を指示する記録指令を受け付ける記録釦と、前記テレビジョン画像の再生を指示する再生指令を受け付ける再生釦とを有する入力受付部と、前記入力受付部が前記記録指令を受け付けるのに応答して、その記録指令が入力された時点の前記安定化画像を示す少なくとも１フレーム分の前記映像信号を記録画像として前記メモリに記録させる一方、前記入力受付部が前記再生指令を受け付けるのに応答して、前記記録画像として記録されている前記映像信号を前記メモリから読み出して前記表示器に出力することにより前記記録画像を再生する第２の制御部と、を備え、前記テレビジョンチューナと前記表示器とは、互いに接続される映像信号出力用ピンプラグと映像信号入力用ピンプラグとを通じて着脱自在に接続されてなるテレビジョン受像機を構成しており、前記車載用テレビジョン画像処理装置は、さらに、前記メモリ、前記判定部、前記第１の制御部、前記入力受付部および前記第２の制御部が一体的に備えられたユニット本体と、前記ユニット本体の一側面から外部に引き出されて前記テレビジョンチューナ側の前記映像信号出力出力用ピンプラグに着脱自在に接続可能とされた映像信号入力用ピンプラグと、前記ユニット本体の一側面から外部に引き出されて前記表示器側の前記映像信号入力用ピンプラグに着脱自在に接続可能とされた映像信号出力用ピンプラグとを備えることを特徴とする。
【００１３】
さらに、好ましくは、前記ユニット本体は、前記記録画像を記録可能であるとともにその記録内容が所定の情報処理機器により読み出し可能となっている半導体メモリカードが着脱自在に装填されるメモリカード装填部をさらに備え、前記入力受付部は、前記メモリに記録されている前記記録画像の前記半導体メモカードへのコピーを指示するコピー指令を受け付けるコピー釦をさらに有し、前記第の２の制御部は、前記入力受付部が前記コピー指令を受け付けるのに応答して、前記メモリに記録されている前記記録画像を、前記メモリカード装填部に装填されている前記半導体メモリカードにコピーする機能をさらに備えるのがよい。
【００１４】
【発明の実施の形態】
図１は本発明の一実施形態に係る車載用テレビジョン画像処理用のアダプタ装置（車載用テレビジョン画像処理装置）を車載テレビジョン受像機に設置した状態を示す斜視図、図２はこのアダプタ装置を単体で示す斜視図、図３は同じくその断面図である。このアダプタ装置９は、図１および図２の如く、既存のテレビジョン受像機のテレビジョンチューナ２０と表示器２１との間に着脱自在に介装されるもので、同期が乱れたときに乱れた動画の出力を停止して静止画を出力するとともに、所望とするテレビジョン画像をメモ的に記録、再生するものである。
【００１５】
一般に、車載用テレビジョン受像機は、図４の如く、テレビジョンチューナ２０で受信したＮＴＳＣ方式等（含むＰＡＬ，ＳＥＣＡＭ方式：以下ＮＴＳＣ方式またはＮＴＳＣと略す）の複合映像信号を、所定の配線コード２４，２５およびＲＣＡピンプラグ２４ａ，２５ａを通じて表示器２１に送信するようになっている。通常は、テレビジョンチューナ２０側のＲＣＡピンプラグ２４ａは雄型である一方、表示器２１側のＲＣＡピンプラグ２５ａは雌型とされ、これらは互いに着脱自在に接続できるようになっている。
【００１６】
そして、このアダプタ装置９は、図２の如く、雌型の信号入力用ＲＣＡピンプラグ１０ａが備わった信号入力用配線コード１０と、雄型の信号出力用ＲＣＡピンプラグ１１ａが備わった信号出力用配線コード１１とが、アダプタ装置９の筐体（ユニット本体）９ａの一側面から外部に引き出されており、これにより、このアダプタ装置９をテレビジョンチューナ２０と表示器２１との間に介装したい場合には、図１の如く、信号入力用配線コード１０の雌型の信号入力用ＲＣＡピンプラグ１０ａが、テレビジョンチューナ２０の配線コード２４の雄型のＲＣＡピンプラグ２４ａに着脱自在に接続されるとともに、信号出力用配線コード１１の雄型の信号出力用ＲＣＡピンプラグ１１ａが、表示器２１の配線コード２５の雌型のＲＣＡピンプラグ２５ａに着脱自在に接続されるようになっている。また、図２の如く、筐体９ａの一側面からは、受電用の電源リード１２およびアース用のアースリード１３が引き出されている。
【００１７】
尚、図１および図２中の符号ＳＰはテレビジョンチューナ２０で受信した音声情報を発生出力するスピーカ、符号ＲＭはテレビジョンチューナ２０のチャンネル切替等を遠隔操作するリモートコントロール送信器をそれぞれ示している。
【００１８】
このアダプタ装置９の筐体９ａは、図３に示す如く、下ケース９ｂと上ケース９ｃとが側面部で互いに重ね合わさって構成されており、これらはネジ９ｄを用いて互いに固定されている。下ケース９ｂには複数の絞り部分９ｅが形成されており、この絞り部分９ｅには、各種電気部品が搭載されたプリント基板（回路基板）９ｆがネジ９ｇで固定されている。筐体９ａの背面側には配線コード１０，１１がゴムブッシュ９ｈで保護されて取り付けられており、プリント基板９ｆに対して導線９ｉを通じてそれぞれ電気的に接続されている。同様に、電源リード１２およびアースリード１３もゴムブッシュ９ｊで保護されて筐体９ａに固定され、これらのリード１２，１３とプリント基板９ｆとの間に導線９ｋがそれぞれ配線されている。
【００１９】
また、筐体９ａの前面側の開口部には、その開口部を塞ぐように前面パネル（エスカッション）１４が取付けられている。この前面パネル１４は、筐体９ａの下ケース９ｂおよび上ケース９ｃの前面側開口部に望む部分に設けられた挟込み片２８，２９によって挟み込まれて筐体９ａに固定されている。
【００２０】
前面パネル１４には、テレビジョン画像を記録するためのＩＣカード（半導体メモリカード）１５を挿入する挿入口１４ａと、挿入口１４ａ内に挿入したＩＣカード１５を取り出す際に押圧するエジェクト釦１４ｂと、このアダプタ装置９の後述するフィールドメモリ（メモリ）Ｆ１〜Ｆｎにテレビジョン画像を記録させるための静止画記録指令および動画記録指令を入力するための記録釦１４ｃと、フィールドメモリＦ１〜Ｆｎに記録された静止画および動画を再生するための再生指令および再生動作を終了させるための再生終了指令を入力するための再生釦１４ｄと、フィールドメモリＦ１〜Ｆｎに記録されている静止画および動画をＩＣカード１５にコピーさせるためのコピー指令を入力するためのコピー釦１４ｅとが設けられている。これらの釦１４ｂ〜１４ｅは、前面パネル１４に設けられるリブ３０にネジ３２で固定されたプリント基板３１に配設されている。
【００２１】
前面パネル１４の挿入口１４ａに対応して、筐体９ａ内の基板９ｆ上には、ＩＣカード１５を収容するエジェクト機能付きのＩＣカードホルダ（メモリカード装填部）３６がネジ３６ａにより固定されて設けられている。ＩＣカードホルダ３６内部の最奥端には、挿入されたＩＣカード１５と接続される接続端子３７が配設されており、この接続端子３７は、リード線３８により基板９ｆに接続されている。
【００２２】
なお、本実施形態に係るアダプタ装置９では、ＩＣカード１５に関しては、フィールドメモリＦ１〜Ｆｎに記録されたテレビジョン画像がＩＣカード１５にコピーされるだけで、ＩＣカード１５に記録されているテレビジョン画像をこのアダプタ装置９を用いて読み出すことは想定していない。ＩＣカード１５に記録されたテレビジョン画像の読み出しおよび再生は、後述するように、ＩＣカード１５の読み出し機能を備えたパソコン等の情報処理機器によって行われる。
【００２３】
図５はこのアダプタ装置９の電気的構成を大略的に示すブロック図であり、図６はそれを詳細に示すブロック図である。
【００２４】
このアダプタ装置９のプリント基板９ｆにおける回路構成としては、図５の如く、テレビジョンチューナ２０から配線コード２４，１０およびＲＣＡピンプラグ２４ａ，１０ａを通じて得られたアナログ式のインターレース方式のＮＴＳＣ複合映像信号をディジタル信号に変換するＡ／Ｄコンバータ５１と、得られたＮＴＳＣ複合映像信号から垂直同期信号（Ｖｓｙｎｃ）および水平同期信号（Ｈｓｙｎｃ）を分離抽出する同期分離回路（同期分離部）５２と、Ａ／Ｄコンバータ５１から出力された複合映像信号を略フィールド単位でそれぞれ記憶可能な複数（偶数個）のフィールドメモリＦ１〜Ｆｎ（図６）と、フィールドメモリＦ１〜Ｆｎから読み出された複合映像信号をアナログ信号に変換するＤ／Ａコンバータ５３と、同期分離回路５２で分離抽出された垂直同期信号および水平同期信号の同期乱れを検出する同期乱れ検出回路５４と、この同期乱れ検出回路５４で検出された同期乱れが許容範囲内かどうかを判定する判定回路（判定部）５５と、前述の指令入力用の釦１４ｃ〜１４ｅおよびインターフェース５６（図６）とを備えてなる操作入力受付部（入力受付部）５７と、判定回路５５での判定結果に基づいて複合映像信号のフィールドメモリＦ１〜Ｆｎへの書き込みおよび読み出しを制御することにより表示器２１に表示されるテレビジョン画像を動画と静止画との間で切り替える画像安定処理を行うとともに、操作入力受付部５７の各釦１４ｃ〜１４ｅを通じて入力される指令内容に基づき、テレビジョン画像のフィールドメモリＦ１〜ＦｎおよびＩＣカード１５への記録処理（コピー処理）、およびフィールドメモリＦ１〜Ｆｎに記録されたテレビジョン画像の再生処理を行うメモリコントローラ（第１および第２の制御部）５８と、メモリコントローラ５８によってフィールドメモリＦ１〜Ｆｎから読み出されたテレビジョン画像をＪＰＥＧ変換により画像圧縮してＩＣカード１５に記録するＪＰＥＧ変換回路５９とを備える。尚、これらの要素のうちの複合映像信号との同期が必要な各要素は、図６中に示した基準クロック生成器６２が、カラーバースト信号の４倍の周波数である１４．３２ＭＨｚの基準周波数を供給し、この基準周波数に従って動作するようになっている。
【００２５】
同期分離回路５２は、テレビジョンチューナ２０で受信されたＮＴＳＣ複合映像信号の垂直帰線消去期間中に含まれる垂直同期信号と、同じくＮＴＳＣ複合映像信号の水平帰線消去期間中に含まれる水平同期信号とを、他の色信号等から分離抽出するものである。
【００２６】
同期乱れ検出回路５４は、図６の如く、同期分離回路５２で分離抽出された垂直同期信号および水平同期信号の同期乱れを検出する垂直同期乱れ検出部５４ａおよび水平同期乱れ検出部５４ｂからなる。また、判定回路５５は、図６の如く、垂直同期乱れ検出部５４ａおよび水平同期乱れ検出部５４ｂが検出した垂直同期信号および水平同期信号の乱れが許容範囲内にあるか否かを判定する垂直同期判定部５５ａおよび水平同期判定部５５ｂと、各判定部５５ａ，５５ｂの判定結果を一時記録する（ラッチする）垂直ＯＫ／ＮＧラッチ回路チ５５ｃおよび水平ＯＫ／ＮＧラッチ回路５５ｄと、垂直ＯＫ／ＮＧラッチ回路５５ｃおよび水平ＯＫ／ＮＧラッチ回路５５ｄを介して垂直同期判定部５５ａおよび水平同期判定部５５ｂから入力される判定結果の論理和を取るＯＲ回路５５ｅとを備える。
【００２７】
垂直同期乱れ検出部５４ａの基本的な回路は、同期分離回路５２から与えられる垂直同期信号を基にして疑似垂直同期信号を発生させる疑似垂直同期信号発生器と、入力された疑似垂直同期信号と垂直同期信号との位相のズレを検出する一致回路とを内蔵しており、疑似垂直同期信号と垂直同期信号とを一致回路に投入して位相のズレを検出することにより垂直同期信号の乱れを検出する。前記一致回路には周知の市販技術であるＥｘＯＲ回路というＩＣ等を使用する。
【００２８】
垂直同期判定部５５ａは、一致回路の出力側に接続された抵抗とコンデンサからなる時定数回路を備えており、垂直同期乱れ検出部４ａで検出された位相のずれ（垂直同期信号の乱れ）の許容範囲は、その抵抗又はコンデンサの値を適当に選択することによって決められる。そして、垂直同期判定部５５ａは、垂直同期乱れ検出部５４ａが検出した各垂直同期信号の同期乱れが許容範囲内にある場合は、垂直ＯＫ信号（ローレベル信号）を順次出力する一方、同期乱れが許容範囲内にない場合には、垂直ＮＧ信号（ハイレベル信号）を順次出力する。垂直ＯＫ／ＮＧラッチ回路５５ｃは、垂直同期判定部５５ａから順次与えられる各垂直ＯＫ信号および各垂直ＮＧ信号を一時記録した後、その記録内容をクリアする。
【００２９】
水平同期乱れ検出部５４ｂは、同期乱れを検出すべき走査線のみを抽出するウインド回路と、同期分離回路５２から与えられる水平同期信号に基づいてウインド回路によって抽出された対象走査線に対応する疑似水平同期信号を発生する疑似水平同期信号発生器と、入力された対象走査線の疑似水平同期信号と水平同期信号との位相のズレを検出する一致回路とを内蔵している。そして、ウインド回路は、フィールド画面上において、例えば２５Ｈから７０Ｈ或いは５０Ｈから１５０Ｈというように任意の領域で、検定する対象を決めるウインドを開くことができるようになっている。
【００３０】
次に、水平同期乱れ検出部５４ｂの同期乱れ検出動作を説明すると、各フィールド画面上のウインド回路により特定されたウインド内の第一番目の走査線の水平同期信号に基づいて、疑似水平同期信号発生器により疑似水平同期信号が作られ、この第一番目の走査線に対応する疑似水平同期信号と前記ウインド内の第二番目の走査線の水平同期信号の一致性（位相のずれ）が一致回路により検出されて、その検出結果が次段の水平同期判定部５５ｂに順次入力される。
【００３１】
水平同期判定部５５ｂは、前述の垂直同期判定部５５ａとほぼ同様な構成であり、水平同期乱れ検出部５４ｂの一致回路の出力側に接続された抵抗とコンデンサからなる時定数回路を備えており、その抵抗又はコンデンサの値を適当に選択することによって水平同期信号の乱れの許容範囲が決められる。そして、水平同期判定部５５ｂは、水平同期乱れ検出部５４ｂによって検出された各フィールド画面のウインド内の水平同期信号の乱れが許容範囲内にあるか否かを順次判定し、同期乱れが許容範囲内にある場合は、水平ＯＫ信号（ローレベル信号）を順次出力する一方、同期乱れが許容範囲内にない場合には、水平ＮＧ信号（ハイレベル信号）を順次出力する。水平ＯＫ／ＮＧラッチ回路５５ｄは、水平同期判定部５５ｂから順次与えられる垂直ＯＫ信号および垂直ＮＧ信号を少なくとも各フィールド期間の終了時まで記録した後、記録内容をクリアする。
【００３２】
ＯＲ回路５５ｅは、垂直ＯＫ／ＮＧラッチ回路５５ｃおよび水平ＯＫ／ＮＧラッチ回路５５ｄの少なくともいずれか一方に垂直ＮＧ信号または水平ＮＧ信号が記録されている場合（期間）は、許容範囲外の同期乱れが生じていることを示すハイレベルのＮＧ信号を出力する一方、それ以外の場合（期間）は、同期乱れが許容範囲内であることを示すローレベルのＯＫ信号を出力する。このＮＧ信号およびＯＫ信号は、メモリコントローラ５８、スイッチング回路６３（図６）およびスイッチング回路６４に入力される。
【００３３】
スイッチング回路６３は、図６の如く、同期分離回路５２によって分離された垂直同期信号の疑似垂直同期信号発生器６５への入力を許容および遮断するためのものである。ここで、同期分離回路５２で分離された垂直同期信号は、スイッチング回路６４を介してメモリコントローラ５８に入力され、メモリコントローラ５８が複合映像信号の記録および書き込みを行う際の同期を取るのに利用されるようになっている。疑似垂直同期信号発生器６５は、入力される垂直同期信号に基づき、疑似垂直同期信号を作成し、同期乱れにより欠落した垂直同期信号を補うようになっている。
【００３４】
そして、スイッチング回路６３は、ＯＫ信号が入力されている期間は、同期分離回路５２によって分離された垂直同期信号の疑似垂直同期信号発生器６５への入力を許容する一方、ＮＧ信号が入力されている期間は、垂直同期信号の疑似垂直同期信号発生器６５への入力を遮断し、乱れた垂直同期信号に基づいて疑似垂直同期信号発生器６５が疑似垂直同期信号を作成してしまうのを防止する。
【００３５】
スイッチング回路６４は、図６の如く、入力されるＯＫ信号およびＮＧ信号に基づいて、メモリコントローラ５８に、同期分離回路５２が分離した垂直同期信号および疑似垂直同期信号発生器６５が作成した疑似垂直同期信号のいずれを入力するかを選択するためのものであり、ＯＫ信号が入力されている期間は、同期分離回路５２が分離した垂直同期信号をメモリコントローラ５８に入力する一方、ＮＧ信号を入力されている期間は、疑似垂直同期信号発生器６５が作成した疑似垂直同期信号をメモリコントローラ５８に入力する。そして、メモリコントローラ５８は、後述するように、この入力される垂直同期信号または疑似垂直同期信号に基づいて、フィールドメモリＦ１〜Ｆｎの記録内容の制御等を行う。
【００３６】
また、メモリコントローラ５８には、操作用の釦１４ｃ〜１４ｄを押圧操作することにより入力される静止画記録指令、動画記録指令、再生指令、再生終了指令およびコピー指令が、インタフェース５６を介して入力される。
【００３７】
ここで、静止画記録指令および動画記録指令は、記録釦１４ｃを通じて入力されるものであり、テレビジョン画像の静止画および動画のフィールドメモリＦ１〜Ｆｎへの記録を指示する指令である。静止画記録指令は、記録釦１４ｃを所定時間（例えば２秒）以内の比較的短い時間の間だけ押圧する（チョイ押しする）ことにより入力される指令であり、動画記録指令は、記録釦１４ｃを所定時間以上の比較的長い時間の間だけ押圧する（長押しする）ことにより入力される。このチョイ押しか、長押しかの判断は、インタフェース５６により行われる。
【００３８】
再生指令および再生終了指令は、再生釦１４ｄを通じて入力される。再生指令は、再生釦１４ｄを所定時間（例えば３秒）以内の比較的短い時間の間だけ押圧する（チョイ押しする）ことにより入力される指令であり、フィールドメモリＦ１〜Ｆｎに記録されている静止画および動画の再生を指示するものである。再生終了指令は、再生釦１４ｄを所定時間以上の比較的長い時間の間だけ押圧する（長押しする）ことにより入力される指令であり、再生処理の終了を指示するものである。この再生釦１４ｄのチョイ押しか、長押しかの判断は、インタフェース５６により行われる。
【００３９】
コピー指令は、コピー釦１４ｅを押圧することにより入力される指令であり、フィールドメモリＦ１〜Ｆｎに記録されている静止画および動画のＩＣカード１５へのコピーを指示するものである。
【００４０】
複数のフィールドメモリＦ１〜Ｆｎは、同期乱れが発生した際の画像安定のために用いられるとともに、テレビジョン画像の静止画および動画の記録にも用いられる。各フィールドメモリＦ１〜Ｆｎは、一フィールド分のディジタル式の複合映像信号を記録可能であり、その書き込みおよび読み出しは、メモリコントローラ５８により制御される。また、各フィールドメモリＦ１〜Ｆｎは、奇数フィールドまたは偶数フィールドが割り当てられており、２つ一組で一フレーム分のディジタル式の複合映像信号を記録するようになっている。
【００４１】
図７の如く、このような複数のフィールドメモリＦ１〜Ｆｎのうちの所定数（偶数個）のフィールドメモリＦａ（図７の例ではフィールドメモリＦ１〜Ｆｍ）が、主に画像安定用に用いられ、それ以外のフィールドメモリＦｂ（図７の例ではフィールドメモリＦ（ｍ＋１）〜Ｆｎ）が静止画および動画の記録に用いられる。詳細な説明は後述するが、画像安定用のフィールドメモリＦａとされるフィールドメモリＦ１〜Ｆｎは、静止画記録指令および動画記録指令の入力に応じて静止画および動画の記録が行われるたびに順次入れ替えられるようになっている。
【００４２】
メモリコントローラ５８は、詳細な制御動作は後述するが、判定回路５５からＯＫ信号が入力されている場合には、Ａ／Ｄコンバータ５１によって変換されたディジタル式の複合映像信号をフィールド単位でフィールドメモリＦａに一旦記憶させた後、順次読み出して分配回路６６およびＤ／Ａコンバータ５３等を介して表示器２１に送り出すことにより表示器２１に動画を表示させる一方、判定回路５５からＮＧ信号が入力されている場合には、Ａ／Ｄコンバータ５１によって変換されたディジタル式の複合映像信号のフィールドメモリＦａへの記録を中止するとともに、フィールドメモリＦａに記録されているＮＧ信号が入力される直前の（同期乱れが生じる直前の）フレーム画像に係る複合映像信号を読み出して分配回路６６およびＤ／Ａコンバータ５３等を介して表示器２１に繰り返し送り出すことにより表示器２１に静止画を表示させ、乱れた画像が表示されるのを防止する。
【００４３】
ここで、分配回路６６は、メモリコントローラ５８の制御により、フィールドメモリＦ１〜Ｆｎから読み出されたディジタル式の複合映像信号をＤ／Ａ変換回路５３またはＪＰＥＧ変換回路５９に振り分けるようになっている。また、Ｄ／Ａコンバータ５３は、フィールドメモリＦ１〜Ｆｎから読み出されたディジタル式の複合映像信号が入力されると、アナログ信号に順次変換し、配線コード１１，２５等を介して表示器２１に出力するようになっている。
【００４４】
また、メモリコントローラ５８は、記録釦１４ｃおよびインターフェース５６を通じて静止画記録指令または動画記録指令が入力されるのに応答して、フィールドメモリＦ１〜Ｆｎに記録されている複合映像信号のうちの、静止画記録指令または動画記録指令が受け付けられた時点に表示器２１に表示されているフレーム画像に係る複合映像信号を含む所定フレーム数分の複合映像信号を記録画像（静止画または動画）としてフィールドメモリＦｂに記録させる一方、再生釦１４ｄおよびインターフェース５６を通じて再生指令が入力されのに応答して、フィールドメモリＦｂに記録されている所定の静止画または動画を示すディジタル式の複合映像信号を読み出して、分配回路６６およびＤ／Ａコンバータ５３等を介して表示器２１に送り出すことにより記録されている静止画または動画の再生を行う。このとき、メモリコントローラ５８は、再生釦１４ｄおよびインターフェース５６を通じて再生終了指令が入力されるまでの間、静止画または動画（動画の場合はその最後の画面の画像）を表示し続ける。
【００４５】
さらに、メモリコントローラ５８は、コピー釦１４ｅおよびインタフェース５６を通じてコピー指令が入力されるのに応答して、フィールドメモリＦｂに記録されている静止画または動画を示すディジタル式の複合映像信号を読み出して、分配回路６６を介してＪＰＥＧ変換回路５９に出力することにより、静止画または動画を示す画像情報をＩＣカード１５にコピーする。ここで、ＪＰＥＧ変換回路５９は、前記所定の静止画または動画を示すディジタル式の複合映像信号が入力されると、映像信号に係る部分（画像情報）のみを分離抽出し、ＪＰＥＧ変換により画像情報を圧縮してＩＣカード１５に記録するようになっている。
【００４６】
次に、図７および図８を参照して、このアダプタ装置９の動作内容（特に、フィールドメモリＦ１〜Ｆｎの使い方）をより詳細に説明する。許容範囲外の同期乱れが発生しておらず、かつ、静止画記録指令および動画記録指令の入力がない状態では、複数のフィールドメモリＦ１〜Ｆｎのうちの一定のフィールドメモリＦ１〜Ｆｍが画像安定用のフィールドメモリＦａとして用いられるようになっている。このとき、書き込みが行われるフィールドメモリＦａが順次サイクリックに入れ替えられながら、複合映像信号がフィールド単位で各フィールドメモリＦａに記録される。この記録時には、各フィールドメモリＦａの記録内容が更新されるようになっている。また、サイクリックの入れ替えは、数フィールド分（数フレーム分）の複合映像信号の記録が行われるごとに行われるようになっている。
【００４７】
さらに詳細には、まず、複数のフィールドメモリＦａ１〜Ｆａｍのうちの２つ（例えばフィールドメモリＦａ１，Ｆａ２）に、Ａ／Ｄコンバータ５１から与えられる奇数フィールドおよび偶数フィールドの複合映像信号が、所定数のフィールド分だけ交互に繰り返し記録されると同時に、記録が行われているフィールドの時間的に一つ手前のフィールド（すなわち、奇数フィールドの記録が行われている場合には偶数フィールド、逆に偶数フィールドの記録が行われている場合には奇数フィールド）の複合映像信号が順次読み出されてＤ／Ａコンバータ５３に出力され、表示器２１にて動画像が安定化画像として表示される。
【００４８】
そして、所定数のフィールド分だけ複合映像信号がフィールドメモリＦａ１，Ｆａ２に繰り返し記録されると、その所定数のフィールドのうちの最後の２つのフィールドに対応する複合映像信号を記録内容としてフィールドメモリＦａ１，Ｆａ２に保持した状態で、書き込み用のフィールドメモリＦａが次のフィールドメモリＦａ３，Ｆａ４に入れ替えられ、同様にして、その２つのフィールドメモリＦａ３，Ｆａ４に、Ａ／Ｄコンバータ５１から与えられる奇数フィールドおよび偶数フィールドの複合映像信号が、次の所定数のフィールド分だけ繰り返し記録されると同時に、記録が行われているフィールドの一つ手前のフィールドの複合映像信号が順次読み出されてＤ／Ａコンバータ５３に出力される。
【００４９】
そして、また、所定数のフィールド分だけ複合映像信号がフィールドメモリＦａ３，Ｆａ４に繰り返し記録されると、その所定数のフィールドのうちの最後の２つのフィールドに対応する複合映像信号を記録内容としてフィールドメモリＦａ３，Ｆａ４に保持した状態で、書き込み用のフィールドメモリＦａが次のフィールドメモリＦａ５，Ｆａ６に入れ替えられ、以下同様な処理が、複数のフィールドメモリＦａのうちの最後の２つのフィールドメモリＦａ（ｍ−１），Ｆａｍに対して行われると、初めの２つのフィールドメモリＦａ１，Ｆａ２に戻り、以下同様に繰り返される。
【００５０】
ここで、注目すべきは、フィールドメモリＦａには、表示器２１に表示されているフレーム画像を基準として過去のフレームに対応する複合映像信号が、数フレーム当たりに一つの割合で記録内容として常に保存されるようになっている点である。ここでは、約２秒分の複合映像信号が数フレーム当たりに一つの割合で保存されるようになっており、フィールドメモリＦａの数もこれに対応して決められている。
【００５１】
そして、記録釦１４ｃを通じて静止画記録指令が入力されると、複数のフィールドメモリＦａのうちの、静止画記録指令が入力された時点を含む所定の微小時間（ここでは入力時点の前後１秒（すなわち２秒））内の複合映像信号を記録しているフィールドメモリＦａの一部あるいは全部（ここでは所定の割合で抜き出された一部）が、画像記録用のフィールドメモリＦｂに変更され、代わりにそれまで画像記録用として用いられていた対応する数のフィールドメモリＦｂが画像安定用のフィールドメモリＦａに変更され、これによって、所定の微小時間分のコマ送り的な動画（静止画）が記録するべき静止画としてフィールドメモリＦｂに記録される。ここでは、１秒当たりに２フレームの割合で、４フレーム分のフレーム画像が静止画として記録されるようになっている。
【００５２】
また、記録釦１４ｃを通じて動画記録指令が入力されると、複数のフィールドメモリＦａのうちの、動画記録指令が入力された時点を含む所定時間（ここでは入力時点の前後２秒（すなわち４秒））内の複合映像信号を記録しているフィールドメモリＦａの一部あるいは全部（ここでは全部）が、画像記録用のフィールドメモリＦｂに変更され、代わりにそれまで画像記録用として用いられていた対応する数のフィールドメモリＦｂが画像安定用のフィールドメモリＦａに変更され、これによって、所定時間分の動画が記録すべき動画として記録される。
【００５３】
一方、許容範囲外の同期乱れが生じた場合は、同期乱れが生じている期間の間だけ、Ａ／Ｄコンバータ５１から与えられる複合映像信号のフィールドメモリＦａへの書き込みが中止されるとともに、同期乱れが生じる直前のフレーム画像に係る複合映像信号がフィールドメモリＦａから繰り返し読み出されて、Ｄ／Ａコンバータ５３を介して表示器２１に繰り返し出力され、同期乱れが生じる直前のフィールド画像に係る静止画が表示器２１に安定化画像として表示され、これによって乱れた画面が表示されるのが防止される。
【００５４】
そして、この許容範囲外の同期乱れが生じている期間内において、静止画記録指令または動画記録指令が入力された場合には、同期乱れが生じる直前のフレーム画像に係る複合映像信号が、静止画記録指令または動画記録指令によって記録すべき期間内の所定フレーム数分だけフィールドメモリＦａから繰り返し読み出されて、画像記録用のフィールドメモリＦｂに記録され、こうして同期乱れの生じる前の乱れのない画像が静止画または動画としてフィールドメモリＦｂに記録されることとなる。
【００５５】
続いて、再生釦１４ｄを通じて再生指令が入力されると、その時点で画像記録用のフィールドメモリＦｂに記録されている静止画または動画に係る複合映像信号がフィールドメモリＦｂから順次読み出されて、画像安定用のフィールドメモリＦａから読み出される複合映像信号の代わりに、Ｄ／Ａコンバータ５３を介して表示器２１に出力され、記録されている静止画または動画が表示器２１にて再生される。なお、この再生動作が行われている期間（再生期間）の間は、画像安定用のフィールドメモリＦａからの複合映像信号の読み出しおよび出力は中断される。
【００５６】
この再生期間内においては、静止画または動画（特に動画）の再生は、再生釦１４ｄがチョイ押しされる度に、再生釦１４ｄが押圧されている期間（押圧期間）に相当する分だけ、フィールドメモリＦｂ内に記録されている複合映像信号が読み出されて表示器２１に送られ、これによって、再生される記録画像が、押圧期間に相当する期間だけ順次時間的に変化する（順送りされる）ようになっている。そして、チョイ押しが解除されると、その時点で再生されているフレーム画像が表示器２１に静止画として表示器２１に継続して表示され、再生釦１４ｄが再度チョイ押しされると、その押圧期間分だけ、再生画像の内容が時間的に進むようになっている。
【００５７】
このようにして、記録画像の最後のフレーム画像まで再生されると、再生釦１４ｄを通じて再生終了指令が入力されるまで、その最後のフレーム画像が静止画として継続して再生されるようになっている。そして、再生終了指令が入力されると、画像記録用のフィールドメモリＦｂからの複合映像信号の読み出しおよび出力が終了されて、代わりに、画像安定用のフィールドメモリＦａからの複合映像信号の読み出しおよび出力が再開される。このとき、再生終了指令の入力に伴って、画像記録用のフィールドメモリＦｂの記録内容がキャンセルされるようにしてもよい。
【００５８】
また、コピー釦１４ｅを通じてコピー指令が入力されると、画像記録用のフィールドメモリＦｂに記録されている所定の静止画または動画を示す複合映像信号がフィールドメモリＦｂから読み出されて、分配回路６６を介してＪＰＥＧ変換回路５９に出力され、これによって、所定の静止画または動画を示す画像情報がＪＰＥＧ変換回路５９によって上述のようにして圧縮されてＩＣカード１５にコピーされる。このＩＣカード１５に記録された画像情報は、ＩＣカード１５の読み取り機能を備えたパソコン等の所定の情報処理機器により読み出すことができるようになっており、その情報処理機器に備えられた表示器によってその画像情報が示す静止画または動画を再生することができるようになっている。
【００５９】
以上のように、本実施形態によれば、安定したテレビジョン画像を表示器２１に表示させることができるとともに、操作入力受付部５７の記録釦１４ｃおよび再生釦１４ｄを押圧操作することにより、所望とする静止画または動画に係るテレビジョン画像を安定化されたきれいな状態で簡易にメモ的に記録、再生させることができる。
【００６０】
また、従来からテレビジョン画像の安定化のために使用されているフィールドメモリＦ１〜Ｆｎを、テレビジョン画像の記録、再生用に兼用する構成であるため、従来のテレビジョン画像処理装置の構成を有効に利用しつつ、本発明に係るアダプタ装置９を構成することができる。
【００６１】
さらに、アダプタ装置９が、所定のピンプラグ１０ａ，１１ａを通じて既存のテレビジョン受像機のテレビジョンチューナ２０と表示器２１との間に着脱自在に介装できるようにしているので、既に市場で販売されている車載用テレビジョン受像機や、既に自動車に搭載されている車載用テレビジョン受像機にも容易に接続して使用することが可能となる。
【００６２】
また、静止画記録指令または動画記録指令が入力された場合には、それらの指令が入力された時点の直前の所定時間（ここでは１秒または２秒）分の画像が記録内容に含まれるようになっているため、静止画記録指令または動画記録指令を入力するタイミングが多少遅れた場合であっても、その所望とする画面を録画することができ、これによって、所望とする画面を容易にかつ確実に録画することができる。
【００６３】
さらに、再生釦１４ｄをチョイ押しして、所定期間分の記録画像をコマ送り状に適宜停止させつつ再生することができ、便利である。
【００６４】
また、フィールドメモリＦｂに記録された静止画または動画である記録内容をＩＣカード１５に記録して持ち運ぶことができるとともに、ＩＣカード１５に記録された静止画または動画をパソコン等の情報処理機器により容易に再生することができるため、便利である。
【００６５】
なお、本実施形態では、記録釦１４ｃを通じて静止画記録指令および動画記録指令の２つの指令を入力するようにしたが、静止画記録指令入力用の操作釦および動画記録指令入力用の操作釦を設けてもよい。また、同様に、再生釦１４ｄを通じて再生指令および再生終了指令の２つの指令を入力するようにしたが、再生指令入力用の操作釦および再生終了入力用の操作釦を設けてもよい。
【００６６】
また、本実施形態では、動画を圧縮処理をせずに画像記録用のフィールドメモリＦｂに記録することを想定しているが、ＪＰＥＧ変換回路あるいはＭＰＥＧ変換回路を設け、圧縮処理して記録するようにしてもよい。
【００６７】
さらに、本実施形態では、テレビジョンチューナ２０から表示器２１に複合映像信号が送られるテレビビジョン受像機にアダプタ装置９を接続することを想定しているが、テレビジョンチューナ２０から表示器２１にＲＧＢ信号が送られるテレビビジョン受像機に本実施形態に係るアダプタ装置９を接続するようにしてもよい。この場合は、アダプタ装置９の入力側に、ＲＧＢ信号を複合映像信号に変換する複合映像変換回路を設け、出力側に、複合映像信号をＲＧＢ信号に変換するＲＧＢ変換回路を設けることにより容易に対応できる。
【００６８】
また、本実施形態では、テレビジョンチューナ２０と表示器２１との間にアダプタ装置９を後から接続する構成としたが、テレビジョンチューナ２０または表示器２１に、あるいはテレビジョンチューナ２０と表示器２１とが一体に構成されたテレビジョン受像機にアダプタ装置９を一体に内蔵させる構成としてもよい。
【００６９】
【発明の効果】
請求項１に記載の発明によれば、安定したテレビジョン画像を表示器に表示させることができるとともに、入力受付部の記録釦および再生釦を操作することにより、所望とするテレビジョン画像を安定化されたきれいな状態で簡易にメモ的に記録、再生させることができる。
【００７０】
また、従来からテレビジョン画像の安定化のために使用されているメモリを、テレビジョン画像の記録、再生用に兼用する構成であるため、従来のテレビジョン画像処理装置の構成を有効に利用しつつ、本発明に係るテレビジョン画像処理装置を構成することができる。
【００７１】
また、テレビジョン画像処理装置が、所定のピンプラグを通じて既存のテレビジョン受像機のテレビジョンチューナと表示器との間に着脱自在に介装できるようにしているので、既に市場で販売されている車載用テレビジョン受像機や、既に自動車に搭載されている車載用テレビジョン受像機にも容易に接続して使用することが可能となる。
【００７２】
請求項２に記載の発明によれば、メモリに記録されている記録画像を半導体メモリカードに記録（コピー）して持ち運ぶことができるとともに、半導体メモリカードに記録された記録画像をパソコン等の情報処理機器により容易に再生することができるため、便利である。
【図面の簡単な説明】
【図１】本発明の一実施形態に係る車載用テレビジョン画像処理用のアダプタ装置を車載テレビジョン受像機に設置した状態を示す斜視図である。
【図２】図１のアダプタ装置を単体で示す斜視図である。
【図３】図２のアダプタ装置の断面図である。
【図４】一般的なテレビジョン受像機においてテレビジョンチューナと表示器とが直接接続された状態を示す斜視図である。
【図５】図２のアダプタ装置の電気的構成を大略的に示すブロック図である。
【図６】図２のアダプタ装置の電気的構成を詳細に示すブロック図である。
【図７】図２のアダプタ装置に備えられるフィールドメモリの構成を示す図である。
【図８】図７のフィールドメモリに含まれる画像記録用のフィールドメモリの構成を示す図である。
【図９】従来の車載用テレビジョン画像処理装置の電気的構成を示すブロック図である。
【符号の説明】
９  アダプタ装置
１０，１１，２４，２５  配線コード
１０ａ，１１ａ，２４ａ，２５ａ  ＲＣＡピンプラグ
１５  ＩＣカード
２０  テレビジョンチューナ
２１  表示器
１４ｂ  エジェクト釦
１４ｃ  記録釦
１４ｄ  再生釦
１４ｅ  コピー釦
１５  ＩＣカード
３６  ＩＣカードホルダ
５１  Ａ／Ｄコンバータ
５２  同期分離回路
５３  Ｄ／Ａコンバータ
５４  同期乱れ検出回路
５５  判定回路
５７  操作入力受付部
５８  メモリコントローラ
Ｆ１〜Ｆｎ  フィールドメモリ
Ｆａ  画像安定用のフィールドメモリ
Ｆｂ  画像記録用のフィールドメモリ
【図１】
0003592956.tif 000002
【図２】
0003592956.tif 000003
【図３】
0003592956.tif 000004
【図４】
0003592956.tif 000005
【図５】
0003592956.tif 000006
【図６】
0003592956.tif 000007
【図７】
0003592956.tif 000008
【図８】
0003592956.tif 000009
【図９】
0003592956.tif 000010